(57)【要約】  次のものを少なくとも備える目検査装置：−眼（１００）の網膜（１０１）に照射する第１光軸（Ｏ１）に沿った光学照射経路（１Ａ）に光線（１）を投影することに適合した照射器（１１、１２）、ここで、前記照射器は光源（１１１、１２１、１２５）と、光線（１）を成形することに適合した投影絞り（１１４、１２４）とを少なくとも備え、前記投影絞りは前記検査装置のオペレーションの間前記網膜と光学的に共役し；−網膜により反射された光（２）を受光し、網膜の画像を取得することに適合した取得手段（２７）；−前記照射器により網膜の表面に投影された光線（１）をスキャニング方向に沿って動かすことに適合したスキャニング手段（１７）；−網膜により反射された光（２）から前記照射器により投影された光（１）を分離することに適合した光線分離手段（１６）。前記投影絞りは、細長い形状と変化する幅を有する投影開口（１１４０、１２４０）を少なくとも備え、前記投影開口は、前記第１光軸（Ｏ１）における前記投影開口の幅よりも広い幅を有する部分を少なくとも備える。
2017526474.tif 000002
【特許請求の範囲】
【請求項１】
−眼（１００）の網膜（１０１）に照射する第１光軸（Ｏ１）を有する光学照射経路（１Ａ）に光線（１）を投影することに適合した少なくとも1つの照射器（１１、１２）と；ここで、前記照射器は、少なくとも1つの光源（１１１、１２１、１２５）と、前記照射器により投影された光線（１）を成形することに適合した少なくとも1つの投影絞り（１１４、１２４）とを備え、前記投影絞りは眼検査装置のオペレーションの間前記網膜と光学的に共役し、
−第２光軸（Ｏ２）を有する光学結像経路（２Ａ）に沿って前記網膜により反射された光（２）を受光し、前記網膜の画像を取得することに適合した取得手段（２７）と；
−前記照射器により前記網膜に投影された光線（１）をスキャニング方向に沿って動かすことに適合したスキャニング手段（１７）と；
−前記網膜により反射され前記取得手段に向かって方向付けられた光（２）から前記照射器により投影された光（１）を分離することに適合した光線分離手段（１６）と；を備え、
前記投影絞りは、細長い形状と変化する幅を有する投影開口（１１４０、１２４０）を少なくとも備え、前記投影開口は、前記第１光軸（Ｏ１）における前記投影開口の幅よりも広い幅を有する部分（１１４２、１２４２）を少なくとも備えることを特徴とする眼検査装置（５００）。
【請求項２】
前記投影開口（１１４０、１２４０）は、前記第１光軸における最小値と、前記投影開口の両端（１１４２、１２４２）又は前記両端に近接した部分における最大値との間において、その幅が前記第１光軸（Ｏ１）からの距離に伴い徐々に増加するように成形されたことを特徴とする請求項１に記載の眼検査装置。
【請求項３】
前記照射器（１１、１２）は、前記光源（１１１、１２１、１２５）により放射された光の一部を遮断することに適合された投影マスク（１１２、１２２、１２２Ａ）を少なくとも備え、
前記投影マスクは前記スキャニング手段（１７）と前記光線分離手段（１６）の分離絞り（１６１）との間に含まれる前記装置の領域に光学的に共役し、
前記投影マスクは直線的な縁（１１２１）を少なくとも備えることを特徴とする前述の請求項のいずれか１つに記載の眼検査装置。
【請求項４】
前記照射器により投影された光線１は、網膜により反射された光（２）が通過する前記投影絞りの開口（１６１Ｂ）に近接した前記分離絞り（１６１）の部分と交差しないことを特徴とする請求項３に記載の眼検査装置。
【請求項５】
前記投影マスク（１１２、１２２、１２２Ａ）は、前記光源（１１１、１２１、１２５）に近接して位置する請求項３又は４に記載の眼検査装置。
【請求項６】
前記光学結像経路（２Ａ）に、前記装置のオペレーションの間において網膜と光学的に共役する共焦点絞り（２３）を少なくとも備え、
前記共焦点絞りは細長い形状及び変化する幅を有する共焦点開口（２３１、２５１）を少なくとも備え、
前記共焦点開口は、前記第２光軸（Ｏ２）における前記共焦点開口の幅よりも広い幅を有する部分（２３２、２５２）を少なくとも備えることを特徴とする前述の請求項のいずれか１つに記載の眼検査装置。
【請求項７】
前記共焦点開口（２３１、２５１）は、前記第２光軸における最小値と、前記共焦点開口の両端（２３２、２５２）又は前記両端に近接した部分における最大値との間において前記第２光軸（Ｏ２）からの距離に伴いその幅が徐々に増加するように成形されたことを特徴とする請求項６に記載の眼検査装置。
【請求項８】
２つの別々の照射器（１１、１２）を少なくとも備え、
各照射器は、対応する光源（１１１、１２１、１２５）と、細長い形状と変化する幅を有する対応する投影開口（１１４０、１２４０）が少なくとも設けられた対応する投影絞り（１１４、１２４）とを少なくとも備え、
各投影開口は、前記第１光軸（Ｏ１）における前記投影開口の幅よりも広い幅を有する部分（１１４２、１２４２）を少なくとも備えることを特徴とする前述の請求項のいずれか１つに記載の眼検査装置。
【請求項９】
各投影開口（１１４０、１２４０）は、前記第１光軸における最小値と、前記投影開口の両端又は前記両端に近接した部分における最大値との間において前記第１光軸（Ｏ１）からの距離に伴いその幅が徐々に増加するように成形されたことを特徴とする請求項８に記載の眼検査装置。
【請求項１０】
各照射器（１１、１２）は、前記光源（１１１、１２１、１２５）により放射された光の一部を遮断することに適合された対応する投影マスク（１１２、１２２、１２２Ａ）を少なくとも備え、
各投影マスクは、前記スキャニング手段と前記光線分離手段の分離絞り（１６１）との間に含まれる前記装置の領域に光学的に共役し、
各投影マスクは、直線的な縁（１１２１）を少なくとも備えることを特徴とする請求項８又は９に記載の眼検査装置。
【請求項１１】
各照射器により投影された光線（１）は、網膜により反射された光（２）が通過する前記投影絞りの開口（１６１Ｂ）に近接した前記分離絞り（１６１）の部分と交差しないことを特徴とする請求項１０に記載の眼検査装置。
【請求項１２】
前記共焦点絞り（２３）は、細長い形状と変化する幅を有する第１及び第２共焦点開口（２３１、２５１）を備え、
各共焦点開口は、前記光学結像経路（２Ａ）に入れられた際、前記第２光軸（Ｏ２）における前記共焦点開口の幅よりも広い幅を有する部分を少なくとも備え、
前記共焦点絞りは、前記共焦点開口が１つずつ前記光学結像経路に入ったり外れたりすることができるように前記光学結像経路に対して動くことができることを特徴とする請求項８〜１１のいずれか１つに記載の眼検査装置。
【請求項１３】
前記光学結像経路に入れられた際、各共焦点開口（２３１、２５１）は、前記第２光軸における最小値と前記共焦点開口の両端（２３２、２５２）又は前記両端に近接した部分における最大値との間において、前記第２光軸（Ｏ２）からの距離に伴いその幅が徐々に増加するように成形されたことを特徴とする請求項１２に記載の眼検査装置。
【請求項１４】
異なるスペクトル帯の光を放射する２つの光源（１２１、１２５）を少なくとも備える照射器（１２）を少なくとも備えることを特徴とする前述の請求項のいずれか１つに記載の眼検査装置。
【請求項１５】
前記照射器（１２）は、５２０ｎｍと６１０ｎｍとの間を少なくとも含む波長の光を放射することに適合した第１光源（１２１）と、４４０ｎｍと４９０ｎｍとの間を含むピーク波長で４０ｎｍよりも狭いバンド幅の青色光を放射することに適合した第２光源（１２５）とを少なくとも備えることを特徴とする請求項１４に記載の眼検査装置。
【請求項１６】
前記第１光源（１２１）は、５００ｎｍ以下の波長の光を放射する一次エミッタと、前記一次エミッタにより放射された光の少なくとも一部をより高い波長を有する光に転換することに適合した蛍光体の混合体とを備えることを特徴とする請求項１５に記載の眼検査装置。
【請求項１７】
前記一次エミッタは、青色光を放射する第１ＬＥＤデバイスを備え、
前記第１ＬＥＤデバイスは、前記蛍光体の混合体により覆われた放射表面を有することを特徴とする請求項１６に記載の眼検査装置。
【請求項１８】
前記第２光源（１２５）は、青色光を放射する第２ＬＥＤデバイスを備えることを特徴とする請求項１５に記載の眼検査装置。
【発明の詳細な説明】
【技術分野】
【０００１】
本発明は、眼検査装置に関する。
本発明の装置は、好ましくは網膜の画像を得るために眼科において使われる。しかし、一般に、任意の被写体の画像を得るためにも使うことができる。
【背景技術】
【０００２】
“眼底カメラ”という用語で一般的に定義される眼の検査のための装置の使用が広く知られている。
一般的に、これらの装置は、白色光のフラッシュを用いて網膜の全体に光を当てる、そして網膜により反射された光を得て網膜のカラー写真を形成する。
通常、広がっていない瞳孔（無散瞳）で操作されるこのタイプの装置は、少なくとも４ｍｍの瞳孔直径の条件で最大視野４５°に対応する網膜の比較的限定された部分を撮影することが可能である。
また、いくつかの装置は、赤外線ビデオと赤外線写真の形成することが可能である。
網膜全体に光を当てることにより同時に得ることができる画像（カラー又は赤外線）は、通常網膜の部分的な透明性に起因する低コントラストに特徴がある。この欠点は、赤外線ビデオ又は赤外線写真の場合さらに顕著になる。
【０００３】
眼検査共焦点装置が知られている。
これらの装置は、良いコントラスト及び４５°より広い視野で（４ｍｍ未満の瞳孔直径の条件においても）網膜の写真及びビデオを形成することができる。
周知の共焦点装置の２つのタイプ、すなわち、ポイントスキャニングタイプとラインスキャニングタイプがある。
単純な構造のため、共焦点ラインスキャニング装置は特に産業上、商業上興味深い。
【０００４】
共焦点ラインスキャニング装置の例は、特許文献US4241257、US7331669及びEP2392915A1に記載されている。
これらの装置は、網膜のとても狭い領域に光を当てる光線で通常は線状に網膜をスキャンする。それらは、不要反射からくる擬似光のほとんどを除去するスリット形状の固定絞りを通過する網膜により反射された光を受け取りデスキャンする。絞りを通過する光は、その後、網膜の１つ以上の画像が得られる手段によりセンサーに投影される。
共焦点ラインスキャニング装置の重大な欠点は、写真を得るために十分な光力が得られる高発光の照明用光源を必要とすることである。
従って、通常使われる光源は、レーザー、スーパールミネッセントダイオード（ＳＬＤ）又は同様なもので構成される。これらの光源は、一般的に単色であるか又は限定された発光バンドを有する。
このため、これらの装置は、赤外線又は単色可視光だけで高コントラストの網膜像を供給することができる。
【０００５】
また、いくつかの装置は、赤、緑及び青レーザーを光源として使って得られる複数の単色画像を組み合わせることにより網膜のカラー画像を供給することができる。
しかし、このようにして得られるカラー画像は、白色光を発することが可能な光源を使った検査装置により得られる画像と同程度の、ディテールと自然な色調を提供しない。
白色光源を使う共焦点ラインスキャニング装置の複数の例が提案されている。
しかし、利用できる白色光源の不十分な放射輝度のため、今まで提案されている解決案は、量産された商品にはつながっていない。
【０００６】
特許US7331669の装置は、不要反射を削減するためにスリット形状の絞りを含む照射器からの光で網膜をスキャンするデジタル写真システムを記載する。
提案された異なる構造の１つにおいて、網膜により反射された光は、デスキャンされ、反射光を除去する共焦点絞りを通過し、そして二次元センサー上に投影され再スキャンされる。
この特許文献に記載された写真システムは、例えばＬＥＤ装置又は同様のものなどの低い輝度の白色光源の使用を可能にするために、光源から網膜への出力の伝達を改良する実際的な解決案を十分な方法で提供していない。
従って、二次元センサーは、捕捉間に高ゲインを有さなければならない。このことは、とりわけ端においてしばしば得られる画像のノイズを引き起こす。
【０００７】
特許US7331669において提案されているような低速スキャンを使った露光時間の増加は、画像の信号／ノイズ比を改善する。
しかし、この解決案は、動きアーチファクトとぼやけを結果的に存在させる可能性を伴う、画像を取得する際に眼が動く危険性を増加させる。
【０００８】
特許出願WO2009004497A2は、白熱ワイヤ又は複数のLEDのストリップとして製造され適切に配置された線形源を備えた白色光装置を提案している。
光源の形として提案されている解決案は、光源の不十分な輝度の問題を解決しない。従って、それは、照射された網膜の（線形の）領域に伝達された光パワーの増加を引き起こさない。
【０００９】
先行技術の共焦点ラインスキャニング装置の更なる欠点は、それらは、通常、中でも約３０°よりも広い視野に対応する画像のケースにおいて、得られる明るさの十分な一様分布で写真を撮影することができないという事実にある。
どのようにコモンＬＥＤ又はレーザダイオードデバイスが光の放出角度を関数として変化する一般的に不均一出力分布を伴い発光するかが知られている。これらの光源の出力密度は、普通、光軸に沿って大きく、光放射円錐の外面に向かって次第に減少する。
この挙動は、均一な出力密度を有する出力光線を供給する光源の平行光学系を構築することを難しくする。
また、眼の網膜は、通常、照射角度と、照射に使われる光のタイプ（例えば、白色又は赤外線）とを関数として変化する反射性を有すると考えられるはずである。
このことは、網膜の画像における明るさの分布をさらに不均一にする。
【００１０】
ソフトウェアを通じた不均一な光分布によって得られる画像のどのような修正も低い明るさにより特徴付けられる領域の信号／ノイズ比を悪化させる。このことは、ノイズの増加のため画像の質を低下させ、医学的診断にほとんど役に立たない画像を作成する。
先行技術のラインスキャニングタイプの試験装置において、眼の角膜とレンズにより引き起こされる反射を減らすために最も広く使われる解決案の１つは、網膜により反射され網膜の画像を作り出す装置により使われる光線に対して、眼に入る照射光線の“サイドバイサイド”タイプの分離を作り出すことである。
この解決案は、構造の簡素さの観点から相当の利点を有し、良質の画像が最大約３０°の視野において得られることを可能にする。
【００１１】
より広い視野（例えば約６０°）の画像が必要となった場合、装置のいくつかのレンズの異なる領域を通過する光線を有するという事実は、そのレンズ全体で見て、共焦点絞りと共に、前記光線において異なる歪みを引き起こし、網膜上に投影された光の線が光学的に共役することを抑制する。このことは、明るさの消失又は画像の外縁に向かう暗い領域の出現を引き起こす。
眼の検査装置のさらなる例は、特許文献US5847805とUS2005/068497に開示されている。
【発明の概要】
【発明が解決しようとする課題】
【００１２】
本発明の主な目標は、先行技術の前記の課題を解決する共焦点ラインスキャニングタイプの眼検査装置を提供することである。
この目標の範囲内において、本発明の目的は、検査を受ける網膜の特に通常は光が不足している周辺領域において照射器により発せられた光出力の最大化を可能にする眼検査装置を提供することである。
本発明の更なる目的は、相対的に広い視野で網膜の画像を取得することが可能な眼検査装置を提供することである。
【００１３】
他の本発明の目的は、その構成部品（例えば、レンズ又は機械的部品）における照射光の反射により引き起こされる光かく乱を減少させることができる眼検査装置を提供することである。
本発明のさらなる目的は、ハイコントラスト、赤外線、カラー、無赤色、蛍光又は自己蛍光の網膜のビデオ及び写真を形成することができる眼検査装置を提供することである。
本発明のさらなる目的は、競争価格で工業規模の生産が容易な眼検査装置を提供することである。
この目標及びこれらの目的は、この後の明細書及び添付の図面からより明らかである他の目的と共に、下で提案されている請求項１及び関連する従属請求項による眼検査装置による発明により達成される。
【課題を解決するための手段】
【００１４】
その一般的定義において、本発明による装置は、
−眼の網膜に照射するために第１光軸に沿った光学照射経路に光線を投影することに適合しかつ少なくとも光源を含む照射器と、
−第２光軸を有する光学結像経路沿いに網膜により反射された光を受光すること及び網膜の画像を取得することに適合した取得手段と、
−前記照射器により網膜の表面に投影された光線をスキャニング方向に沿って動かすことに適合したスキャニング手段と、
−網膜により反射され前記取得手段に向かっている光から前記照射器により投影された光を分離することに適合した光線分離手段とを少なくとも備える。
【００１５】
前記照射器は、光学照射経路に向かう前記光源により投影された光線を成形することに適合した投影絞りを少なくとも有する。
前記検査装置のオペレーションの間、前記投影絞りは網膜と光学的に共役される。
前記投影絞りは、細長い形状と変化する幅を有する投影開口を少なくとも備える。
この投影開口は、照射経路の光軸における前記投影開口の幅よりも大きい幅の部分を少なくとも有するように成形される。
好ましくは、前記投影開口は、第１光軸における最小値と、前記投影開口の両端における又はこれらの両端に近接した前記投影開口の部分における最大値との間において第１光軸からの距離に伴いその幅が徐々に増加するように成形される。
【００１６】
好ましくは、前記照射器は、前記光源により放射された光の一部を遮ることに適合した投影マスクを少なくとも備える。
前記投影マスクは、スキャニング手段と、光線分離手段の分離絞りとの間に含まれる前記装置の領域に光学的に共役される。
前記投影マスクは、少なくとも直線的な縁を含む。
投影マスクの直線的な縁は、前記光線分離手段と前記スキャニング手段との間に含まれる前記領域における前記光学照射経路に沿って照射器により投影された光線の端を明確にする。
好ましくは、照射器により投影された光線は、網膜により反射された光が通る分離絞りの開口の近傍において、光線分離手段の分離絞りのどのような部分とも交差しない。
好ましくは、前記投影マスクは、前記光源の近傍に位置する。
【００１７】
好ましくは、本発明による装置は、前記光学結像経路沿いに、網膜により反射された光が部分的に通過できる共焦点絞りを備える。
前記検査装置のオペレーションの間、前記共焦点絞りは、網膜と光学的に共役する。
前記共焦点絞りは、細長い形状と変化する幅を有する共焦点開口を少なくとも備える。この共焦点開口は、取得経路の光軸における前記共焦点開口の幅よりも大きい幅の部分を少なくとも有するように成形される。
好ましくは、前記共焦点開口は、第２光軸における最小値と、前記共焦点開口の両端における又はこれらの両端に近接した前記共焦点開口の部分における最大値との間において第２光軸からの距離に伴いその幅が徐々に増加するように成形される。
【００１８】
可能な実施形態において、本発明による装置は、少なくとも２つの別々の照射器を備える。
それぞれの照射器は、対応する光源と、前記装置のオペレーションの間、眼の網膜に光学的に共役する対応する投影絞りとを少なくとも備える。
それぞれの投影絞りは、細長い形状と変化する幅を有する投影開口を少なくとも備える。それぞれの投影開口は、照射経路の光軸における前記投影開口の幅よりも大きい幅の部分を少なくとも有するように成形される。
好ましくは、それぞれの投影開口は、第１光軸における最小値と、前記投影開口の両端における又はこれらの両端に近接した前記投影開口の部分における最大値との間において第１光軸からの距離に伴いその幅が徐々に増加するように成形される。
【００１９】
好ましくは、それぞれの照射器は、スキャニング手段と、光線分離手段の分離絞りとの間に含まれる前記装置の領域に光学的に共役され、かつ、少なくとも直線的な縁を備えた対応する投影マスクを少なくとも備える。
それぞれの投影マスクの直線的な縁は、スキャニング手段と光線分離手段の分離絞りとの間に含まれる前記領域における前記光学照射経路に沿って対応する照射器により投影された光線の端を明確にする。
好ましくは、それぞれの照射器により投影された光線は、網膜により反射された光が通る分離絞りの開口の近傍において、分離絞りのどのような部分とも交差しない。
好ましくは、それぞれの投影マスクは、対応する光源の近傍に位置する。
【００２０】
好ましくは、検査装置の共焦点絞りは、細長い形状と変化する幅を有する第１及び第２共焦点開口を備える。
それぞれの共焦点開口は、光学結像経路に入れられた際に、取得経路の光軸における前記共焦点開口の幅よりも大きい幅の部分を少なくとも有するように成形される。
好ましくは、光学結像経路に入れられた際に、それぞれの共焦点開口は、第２光軸における最小値と、前記共焦点開口の両端における又はこれらの両端に近接した前記共焦点開口の部分における最大値との間において第２光軸からの距離に伴いその幅が徐々に増加するように成形される。
共焦点絞りは、前記共焦点開口が１つずつ光学結像経路に入ったり外れたりすることができるように光学結像経路に対して好都合に移動可能である。
可能な実施形態において、本発明による装置は、異なるスペクトル帯の光を放射する少なくとも２つの光源を備えた照射器を少なくとも備える。
【発明の効果】
【００２１】
本発明による眼検査装置のさらなる特徴と利点を、説明的で限定されない目的のために純粋に提供された下記に記載の説明と添付図を参照してより明らかにする。
【図面の簡単な説明】
【００２２】
【図１】図１は、第１実施形態における本発明による眼検査装置を概略図として示す。
【図２−４】図２−４は、図１の眼検査装置のいくつかの詳細を概略図として示す。
【図５】図５は、さらなる実施形態における本発明による眼検査装置を概略図として示す。
【図６】図６は、図５の眼検査装置のいくつかの詳細を概略図として示す。
【図７】図７は、さらなる実施形態における本発明による眼検査装置を概略図として示す。
【発明を実施するための形態】
【００２３】
図１−４を参照すると、本発明は、特に共焦点ラインスキャニングタイプの眼検査装置５００に関する。
装置５００は、第１照射器１１と、第１光軸Ｏ１を有する光学照射経路１Ａとを備える。
光学経路１Ａに沿って、光線１は、照射器１１により眼１００の網膜１０１に向けて方向Ｄ１に投影される。
装置５００は、網膜１０１により反射された光２を受光し、同じ網膜の１つ以上の画像を取得するように適合された取得手段２７を備える。
装置５００は、第２光軸Ｏ２を有する光学結像経路２Ａを備える。
光学経路２Ａに沿って、網膜１０１により反射された光２は、取得手段２７に到達するまで方向Ｄ２に伝播する。
【００２４】
装置５００は、スキャニング方向に沿って網膜１０１の表面に投影された光線１が動くように適合されたスキャニング手段１７を備える。
好ましくは、スキャニング手段１７は、取得手段２７に向かう光学結像経路２Ａにおいて網膜により反射された光２の少なくとも一部分を方向付ける機能も有する。
装置５００は、後段における反射された光２から網膜上に投影される光１を分離するように適合した光線分離手段１６を備える。
【００２５】
照射器１１、光線分離手段１６及びスキャニング手段１７は、光学経路１Ａにおいて直列に配置される（光線１の方向Ｄ１を参照）。
好ましくは、装置５００は、光線の照射器１１と光線分離手段１６との間の光学経路１Ａに配置された第１光学系１５を備える。
好ましくは、装置５００は、照射光１が通過するようにスキャニング手段１７の下流に配置された、スキャニング光学系１８と接眼レンズ１９とを備える（光線１の伝播方向Ｄ１参照）。
【００２６】
スキャニング手段１７、光線分離手段１６及び取得手段２７は、光学経路２Ａにおいて、直列に配置されることが有利である（光線２の伝播方向Ｄ２を参照）。
接眼レンズ１９及びスキャニング光学系１８には、反射光がスキャニング手段１７に到達する前に、反射光２が通過する。
好ましくは、装置５００は、光学経路２Ａに配置された共焦点絞り２３を備える。
下でより明らかになるように、共焦点絞り２３は、好ましくは適切な形状をした共焦点開口２３１を少なくとも備える。この共焦点開口は、網膜の反射光の一部の通過と、網膜と光学的に共役していない装置５００又は眼１００のいくらかの表面の反射光の少なくとも一部を遮ることとを可能にする。
好ましくは、装置５００は、光線分離手段１６と取得手段２７との間の光学経路２Ａに配置された第２光学系２１、ミラー２２、２４、第３光学系２５、対物レンズ２６も備える。
【００２７】
照射器１１は、好ましくはＬＥＤ（発光ダイオード）装置からなる第１光源１１１を少なくとも備える。
照射器１１は、光学経路１Ａに向かって光源１１１により投影された光線１を成形するように適合された第１投影絞り１１４を備える。
投影絞り１１４は、装置５００のオペレーションの間、網膜１０１に光学的に共役するように配置される。
説明をより明確にするために、次のように明記される、本発明の範囲内において、記述“光学的に共役した”は、光学的共役の正確な位置、又は光学的共役の正確な位置の比較的小さい近辺（装置５００の光学経路の長さに関して）に位置することを特定する。
下でより明らかになるように、投影絞り１１４は、光学経路１Ａに向かって光源１１１により投影された光線を成形するように適切に成形された第１投影開口１１４０を備える。
【００２８】
好ましくは、照射器１１は、スキャニング手段１７と光線分離手段１６との間に含まれる装置５００の領域と光学的に共役するように配置された第１投影マスク１１２を備える。
装置５００のオペレーションの間、投影マスク１１２は、眼の瞳孔１０２と光学的に共役する。
下でより明らかになるように、投影マスク１１２は、光源１１１により放射された光の一部を遮るように適切に成形される。
好ましくは、投影マスク１１２は、光源１１１の近傍に位置している。
好ましくは、照射器１１は、投影マスク１１２と投影絞り１１４との間に位置している第１平行光学系１１３を備える。
【００２９】
好ましくは、取得手段２７は、例えば、デジタルビデオカメラのＣＣＤ又はＣ−ＭＯＳセンサーからなる。それらは、受光面で光２を受光し、そして網膜１０１を観察し撮影することを可能にする。
好ましくは、光線分離手段１６は、装置５００のオペレーションの間、瞳孔１０２と光学的に共役した分離絞り１６１を備える。
好ましくは、分離絞り１６１は、照射光線１が通過する成形した開口１６１Ａと、反射光線２が通過する成形した開口１６１Ｂとを備える。
分離絞り１６１について、他の構造は、それらが少なくとも反射光２の一部を通過させるための開口１６１Ｂを提供さえすれば可能である。
【００３０】
好ましくは、光線分離手段１６は、光学経路２Ａにおいてスキャニング手段１７により方向付けられた反射光２の進路を変えるように適合したミラー１６２を備える。
前記図面に示したものと異なる形態を有するビームスプリッター、ミラー又は絞りの使用を提供する他の構造変形が可能である。
好ましくは、スキャニング手段１７は、２つの対向した反射面を有する共振振動ミラーを備える。
例えば、多面体ミラー、マイクロミラーアレイ又は同様のものを使用するスキャニング手段１７のための他の構造解決案が可能である。
好ましくは、共焦点絞り２３は、装置５００のオペレーションの間、網膜１０１と光学的に共役されるように配置される。
【００３１】
装置５００の一般的なオペレーションはこれからより詳細に説明される。
光源１１１により放射された光は、マスク１１２により部分的に遮られ、平行光学系１１３により平行にされ、そして絞り１１４を通過する。
照射器１１により投影された光１は、光学系１５と、具体的には分離絞り１６１の開口１６１Ａにおいて光線分離手段１６とを通過する。好ましくは、光線１は、分離絞り１６１の、網膜の反射光が通過する開口１６１Ｂに近接したどのような部分にも触れない。特に、光線１は、開口１６１Ａの両端には触れない。
光１は、網膜１０１に向けてそれを方向付けその回転軸の周りを動くスキャニング手段１７により走査される。それは、スキャニング光学系１８と接眼レンズ１９を通過し、眼１００に入り網膜１０１に光を当てる。
【００３２】
網膜１０１における照射された領域は、投影絞り１１４の開口１１４０の光イメージからなる。この照射された領域は、照射された領域の最大伸長方向に実質的に垂直でありスキャニング手段により定められる走査方向に従って網膜に沿って動く。
後で明らかになるように、網膜の照射された領域は、適切に成形された明るい線形領域からなる。
網膜１０１は、照射光１を少なくとも部分的に反射する。
網膜１０１により反射された光２は、瞳孔１０２を通過して眼から出て行き、接眼レンズ１９及びスキャニング光学系１８を通過する。
【００３３】
反射光２は、光学経路２Ａにそれを方向付けるスキャニング手段１７によりデスキャンされる。
反射光２は、具体的には分離絞り１６１の開口１６１Ｂにおいて光線分離手段１６を通過する。
光線分離手段１６（具体的には分離絞り１６１）は、開口１６１Ｂを用いて、光線１が眼に入る瞳孔の領域から分離された瞳孔１０２の予め定められた領域を通過する反射光２の一部を選択する。
このことは、眼の他の表面から来て取得手段２７に到達する照射光１の不要反射の可能性を大いに低める。
【００３４】
分離手段１６により選択された光線２は、光学系２１を通過し、ミラー２２により反射され、共焦点絞り２３を通過し、ミラー２４により反射され、そして、光学系２５を通過する。
共焦点絞り２３を通り抜ける光線２の通過は、網膜１０１とは異なる面に位置する又は同じ網膜と光学的に共役した物体から来る不要反射が取得手段２７に到達する可能性を大いに低める。
光線２は、スキャニング手段１７により再度走査され、そして取得手段２７へ方向付けられる。
光線２は、対物レンズ２６を通過し、前記網膜の１つ以上のイメージを取得する取得手段２７の受光面に網膜１０１の二次元イメージを作り出す。
【００３５】
本発明によれば、投影絞り１１４は、第１投影開口１１４０を少なくとも備える。
投影開口１１４０は、細長い形状と変化する幅を有する。
好ましくは、投影開口１１４０は、伸長主軸１１４４に沿って伸びる。
好ましくは、投影絞り１１４は、開口１１４０の伸長軸１１４４が光学経路１Ａの光軸Ｏ１と交差するように配置される。
投影開口１１４０は、光軸Ｏ１に対して遠い位置に両端１１４２を備え、光軸Ｏ１に対して近接する位置に中心部１１４５を備える。
好ましくは、投影開口１１４０は、光軸Ｏ１に中心がある。
好ましくは、両端１１４２は、中心部１１４５に対して対称的に配置される。
【００３６】
本発明によれば、投影開口１１４０は、光軸Ｏ１におけるその幅よりも広い幅の部分を少なくとも有するように成形されている。
言い換えれば、投影開口１１４０は、中心部１１４５におけるその幅が、同じ開口の少なくとも異なる部分におけるその幅よりも小さくなるように成形されている。
好ましくは、投影開口１１４０は、光軸Ｏ１における最小値と、両端１１４２における又は両端１１４２に近接した部分における最大値との間においてその幅が徐々に増加する（すなわち、軸１１４４に沿って光軸Ｏ１から離れる）ように成形されている。
【００３７】
両端１１４２に近接した領域（必ずしも両端１１４２だけではない）は、前記部分において開口１１４０の形は同じ開口の両端とのつながりにより変更することができると考えられ、組み立てエラーを補償するために開口１１４０の長さは増加させることができると考えられる。
好ましくは、投影開口１１４０の幅ｌ1は、取得手段２７により取得される網膜１０１の画像の明るさをより均一にするような変化法則ｌ1＝ｆ１（ｘ1）に従って光軸Ｏ１に対する距離ｘ１によって変化する。
【００３８】
投影絞り１１４の開口１１４０の実施形態の例は、図３（図３Ａ）に示される。
投影開口１１４０の特定の形状を考えると、開口１１４０により形成される光イメージにより表される網膜１０１の照射された領域は、光の線の形を実質的に有している。
この光の線は、その中心部における最小値と、中心部と少なくとも異なる領域における最大値との間で変化する幅を有する。スキャニング手段１７の動作のため、この光の線は、同じ線に垂直な走査方向に従って網膜１０１の表面に沿って動く。
【００３９】
本発明の一実施形態によると、共焦点絞り２３は、好ましくは細長い形状と変化する幅を有する共焦点開口２３１を少なくとも備える。
好ましくは、共焦点開口２３１は、伸長主軸２３４に沿って伸びる。
好ましくは、共焦点絞り２３は、開口２３１の伸長軸２３４が光学経路２Ａの光軸Ｏ２と交差するように配置される。
共焦点開口２３１は、光軸Ｏ２に対して遠い位置に両端２３１を備え、光軸Ｏ２に対して近接する位置に中心部２３５を備える。
【００４０】
好ましくは、共焦点開口２３１は、光軸Ｏ２に中心がおかれる。
好ましくは、両端２３２は、中心部２３５に対して対称的に配置される。
好ましくは、共焦点開口２３１は、光軸Ｏ２における前記共焦点開口の幅よりも広い幅の部分を少なくとも有するように成形される。
言い換えると、共焦点開口２３１は、中心部２３５におけるその幅が、同じ開口の少なくとも異なる部分におけるその幅よりも小さくなるように成形される。
好ましくは、共焦点開口２３１は、光軸Ｏ２における最小値と両端２３２または両端２３２に近接した部分における最大値との間において、光軸Ｏ２からの距離（すなわち、軸２３４に沿って光軸Ｏ２から離れる）に伴いその幅が徐々に増加するように成形される。
【００４１】
好ましくは、共焦点開口２３１の幅ｌ2は、取得手段２７により取得される網膜１０１の画像の明るさをより均一にするような変化法則ｌ2＝ｆ２（ｘ2）に従って光軸Ｏ２に対する距離ｘ2によって変化する。
共焦点絞り２３の開口２３１の実施形態の例が図３（図３Ｂ）に示される。
投影絞り１１４の開口１１４０の特定の成形と、共焦点絞り２３の開口２３１の特定の成形は、重要で驚くべき利点を有する。
開口１１４０と開口２３１の輪郭の同時寄与のため、網膜１０１の画像の明るさはおおよそ均一となる。
【００４２】
それぞれの中心領域１１４５と２３５における開口１１４０、２３１のより小さい幅は、例えば、ＬＥＤ、レーザーダイオード、スーパールミネセントダイオードなどの現在市場に出ている光源を特徴付ける軸方向におけるより大きい出力密度を補正することを可能にする。
反対に、中心領域とは異なる領域における開口１１４０、２３１のより大きい幅は、同じ光源の軸とは異なる放射方向における光源１１１のより低い出力密度と、中心の光線ではより有益であり周囲の光線では有益ではないと知られている光線１と眼の光軸との間の角度に応じた網膜１０１の反射性の特徴的な変動とを補正することを可能にする。
【００４３】
図４（図４Ａ−４Ｃ）は、同じ装置のオペレーションの間スキャニング手段１７と眼１００との間に動作可能に位置する装置５００の部分５０１をより詳細に示す。
照射光１と反射光２の両方は、装置の部分５０１を伝播する。この部分において、光学経路２Ａに入ることができ、取得手段２７により取得される画像に乱れを引き起こす不要反射が生じる。
これらの不要反射が取得手段２７の受光面に到達することを可能とするためには、２つの条件が同時に生じる必要がある：
−不要反射を生じさせる表面が光線１と光線２の重複している領域を交差すること；
−不要反射を生じさせる表面が光線１と２の共通方向におおよそ垂直であること。
【００４４】
両方の条件を最もよく満たすことができ、その結果、不要反射を生じさせる高い可能性を有する光学的表面は、網膜１０１に共役した表面３０に隣接した接眼レンズ１９のレンズの表面１９１である。
不要反射を生じさせる可能性が最も高い表面１９１の部分は、光線１と２の共通方向におおよそ垂直な部分だけを考えれば関連している光軸Ｏに近接した部分である。
強度の近視眼１００が撮影される際に、表面３０が接眼レンズ１９のレンズの表面１９１に向けて必然的に動くので、不要反射の危険性はより増加する。
光線１と光線２の重複領域は、網膜１０１と網膜に光学的に共役した表面との中心にある。これらの重複領域は、網膜のある部分と他の部分から伸びる、又は網膜又は網膜に光学的に共役した表面における同じ光線の幅に依存する距離における関連した光学共役のある部分と他の部分から伸びる。
【００４５】
図４Ａは、光線１と２の間の重複領域Ｓの境界面Ｃ１、Ｃ２を示す。
図４は、光軸Ｏを通過する面における装置５０１の一部の断面Ａ−Ａも示す（図４Ｂ）。
光線１と光線２の間の重複領域Ｓは、面３０の一方側と他方側からおおよそ対称に伸び、面３０に交差する光線１及び光線２の中心の厚さ（すなわち光軸Ｏ）に依存する大きさｓ１を有する。
光線１、２の中心の厚さは、関連した中心部領域１１４５、２３５における絞り１１４、２３の開口１１４０、２３１の幅に比例する。関連する中心領域１１４５、２３５における絞り１１４、２３の開口１１４０、２３１の幅が特定の値に達するとき、光線１と２の間の重複領域Ｓは、光軸Ｏの近傍において面１９１に触れる。
この場合、表面１９１により反射される光は、光学経路２Ａに入ることができ、網膜１０１の画像に不要反射を引き起こす。
【００４６】
図４Ｂに示したように、不要反射の出現を避けるために、重複領域Ｓは、面１９１から少なくとも最低安全距離に（光軸Ｏの近傍において）維持される必要がある。
従って、関連した中心領域１１４５、２３５における絞り１１４、２３の開口１１４０、２３１のそれぞれの幅は、接眼レンズ１９の表面１９１に由来する不要反射の形成を防ぐための対応する最大値以下に維持する必要がある。
【００４７】
図４は、光軸Ｏとは異なる面でこの光軸から相対的に遠い面における装置５０１の部分の断面Ｂ−Ｂも示している（図４Ｃ）。
光線１と２の間の重複領域Ｓは、光軸Ｏから遠い表面長さにおける表面１９１と交差する。
光軸Ｏから遠い（光線１の）光線は、例えば、絞り１１４の開口１１４０の両端１１４２の近傍において通過する光線、球面の先端領域において、同じ光線に対して表面１９１が大きく傾斜した球面１９１に交わる。
【００４８】
これらの先端領域に入射した照射光は、横方向に反射され、光学経路２Ａに入り不要反射を引き起こす危険性はない。
従って、光軸Ｏから遠い領域において、光線１と２は比較的大きな厚さを有することができ、このため、不要反射の危険がなく、表面１９１とも交差することができる重複領域Ｓを形成する。
従って、中心部１１４５、２３５とは異なる部分における絞り１１４、２３の開口１１４０、２３１のそれぞれの幅は、不要反射を引き起こすことなく、同じ絞りの関連する中心領域１１４５、２３５における幅よりもより大きくすることができる。
【００４９】
上記のことに基づくと、画像における不要反射を避けるために、光軸Ｏにおいて、重複領域Ｓとレンズの表面１９１との間に軸に沿った最小距離がある必要がある。
この必要な最小距離は、光軸Ｏから離れるにつれ徐々に減少する。
表面１９１の先端領域において、不要反射を引き起こすことなく重複領域Ｓが接眼レンズ１９のレンズ中に入ることも可能である。
従って、不要反射の発生を引き起こすことなしに、絞り１１４、２３の開口１１４０、２３１のそれぞれの幅は、それぞれの光軸Ｏ１、Ｏ２から離れるにつれ都合よく増加することができる。
絞り１１４、２３の開口１１４０、２３１の上記の特定の成形は、不要反射を引き起こすことなしに、網膜を走査する光の線の先端部分における投影される光出力を増加させるという驚くべき利点を提供する。
このように、先行技術にすでに記載されている、長方形の開口を有する絞りを使うことにより現れる、網膜１０１の画像の先端領域における特徴的な明るさ不足を補正することが可能である。
【００５０】
絞り１１４、２３の開口１１４０、２３１の上記の特定の成形は、広い視野、例えば約６０°、で画像を提供するために装置５００が配置される場合にさらなる利点をもたらす。
原則として、装置５００の様々なレンズの異なる領域を通過する、光線１と２が受ける異なるゆがみは、前記光の線の全体の長さにおいて、共焦点絞り２３を網膜１０１に投影された光の線と光学的に共役させることを難しくする。
すでに言及したように、先行技術の装置において、十分な光学的共役は、最大で約３０°までの視野において通常可能である、しかし一方、より広い視野において、ゆがみの効果がより大きくなりその結果として光の線と絞り２３との間の共役が正確でなくなる先端領域のすべての上で、網膜の画像の明るさが大幅に悪化する。
【００５１】
絞り１１４、２３の開口１１４０、２３１の上記の特定の成形は、この臨界を大幅に低減することを可能にする。
写真の周囲明るさの変動は、絞り１１４、２３の開口１１４０、２３１を特徴付ける幅の変化法則、ｌ1＝ｆ１（ｘ1）とｌ2＝ｆ２（ｘ2）をそれぞれ適切に計算することにより、容易に補正することができる。
従って、本発明により提案された解決案は、網膜１０１の良質の画像を、とても広い視野においても取得することを可能にする。
このことは、一定の幅の光の線が投影され、長方形のスリット形状の開口を有する共焦点絞りが使われている先行技術装置により提供された性能に対して性能の重要な改良を表す。
【００５２】
上記のように、照射器１１は、好ましくは第１投影マスク１１２を備える。
投影マスク１１２は、スキャニング手段と光線分離手段との間に含まれる装置５００の領域、特に絞り１６１、と光学的に共役されている。
装置５００のオペレーションの間、投影マスク１１２は、眼１００の瞳孔１０２と光学的に共役される。
投影マスク１１２は、絞り１６１とスキャニング手段１７との間に含まれる領域の段階において、その結果として瞳孔１０２の段階においても、照射光線１の断面形状を決める機能を有する。
投影マスク１１２は、直線的な縁１１２１を少なくとも備える。
好ましくは、分離手段１６とスキャニング手段１７との間に含まれる領域において、直線的な縁１１２１は、光線１の断面の明確な境界１Ｂを決める。
投影マスク１１２についての実施形態は、図２の図２Ａに示される。
【００５３】
投影マスク１１２は、光源１１１により放射される光の一部を遮り、直線的な縁１１２１を備える。
直線的な縁１１２１は、分離手段１６の分離絞り１６１とスキャニング手段１７との間に含まれる領域における光線１の断面の境界１Ｂと光学的に共役される。
光線１の断面の境界１Ｂは、分離絞り１６１において、光線１の内側の高い出力密度の領域と、光線２から光線１を分離する暗い領域との間の明確な経路を決める。
このことは、光線１と２の間の優れた分離を確保し、このことは、網膜１０１の最終的な画像に乱れを生じさせる、装置５００又は眼１００の様々な光学的表面における反射により生じた光が光学経路２Ａに入り取得手段２７に到達することを防ぐのに必要である。
【００５４】
投影マスク１１２は、上記のことが投影絞り１６の開口１６１Ｂの近傍において分離絞り１６の部分により遮られた光線１なしで得られることを可能にする。
光学経路１Ａ、２Ａが互いに近接している光線分離手段１６において散乱現象の発生が防止される。
このことは、光線分離手段１６におけるどのような散乱現象の存在が、網膜１０１の画像における不要反射を容易に引き起こす可能性があることを考えれば、重要な利点を構成する。
上述したように、投影マスク１１２は、好ましくは、分離絞り１１４の上流（光線１の伝播方向Ｄ１に関して）で、光源１１の近傍に位置する。
このような方法で、投影絞り１１４は、投影マスク１１２における散乱現象により生じた光のほとんどを遮り、その結果として不要反射の危険を除去する。
【００５５】
投影マスク１１２の更なる実施形態が図２の図２Ｂに示される。
この例において、光源１１１は、相対的に広がっている、例えばＬＥＤデバイスである。
マスク１１２は、直線的な縁１１２１と、光源１１１により放射される光１の一部を遮る直線的な又は異なる形状のほかの両端とを少なくとも含む貫通開口１１２Ａ（例えば、長方形）を備える。
また、この場合、直線的な縁１１２１は、分離絞り１６１とスキャニング手段１７との間に含まれる領域の段階における、光線１が絞り１６１のどのような部分にも接触することなしに光線１と２の間の分離の明確な領域が得られることを可能にする光線１の断面の境界１Ｂを決める。
【００５６】
図解した例において、開口１１２Ａは長方形であり、光源１１１の近傍に位置する。
開口１１２Ａは、放射体１１１の放射面の対応する寸法に比べより小さい幅とより長い長さを有する。
このような方法では、分離絞り１６１の段階と瞳孔１０２で光学的に共役する領域における光線１の断面は、１つの方向において、投影マスク１１２の開口１１２Ａの縁の画像によって規定され、他の方向において、光源１１１の放射面の縁の画像によって規定される。
例２Ｂにおいて提案された解決案は、瞳孔１０２の段階における光線１の断面全体が要望通りに規定されることを可能にする。
このことは、光源１１１として使われているＬＥＤデバイスの発光断面を適切に減少させ成形することに使うことができる。
投影マスク１１２は、光源１１１により放射される光の一部を遮ることができる直線的な縁１１２１が少なくとも存在することにより常に特徴付けられるさらなる形態に従って形成することができる。
【００５７】
図５−６は、装置５００の更なる実施形態を示す。
この実施形態の装置５００の多くの構造態様は、図１−４に示した実施形態と実質的に同じである。
差別化の重要な態様は、この実施形態において、装置５００が２つの別々の照射器、具体的には第１照射器１１と第２照射器１２を備えることにある。
装置５００は、同じ光学経路１Ａにおいて照射器１１、１２を合わせるためのダイクロイックミラー１４を備える。
照射器１１は、図１−４に関してすでに説明した照射器１１と実質的に同じ構造、同じオペレーションを有する。
この場合、それは、赤外光光源１１１、例えば赤外光ＬＥＤデバイス、を都合よく備える。
【００５８】
照射器１２の構造及びオペレーションは、図１−４に関してすでに説明した照射器１１とほとんど同じである。
それは、第２白色光光源１２１、例えば白色ＬＥＤデバイス又は他の広帯域光源、を少なくとも備える。
さらに、それは、第１照射器１１に関して既に説明した第１投影絞り１１４と同じように形成された第２投影絞り１２４を備える。
投影絞り１２４は、第１投影絞り１１４（図６）の第１投影開口１１４０と同じように（たとえ必ずしも完全に同じでないとしても）成形された第２投影開口１２４０を少なくとも備える。
投影開口１２４０は、細長い形状と変化する幅を有し、好ましくは対応する伸長主軸に沿って伸びる。
好ましくは、投影絞り１２４は、この伸長軸が光軸Ｏ１と交差するように配置される。
【００５９】
投影開口１２４０は、光軸Ｏ１に対して遠い位置に対応する両端１２４２を備え、前記光軸に対して近接する位置に対応する中心部１２４５を備える。
好ましくは、投影開口１２４０は、光軸Ｏ１に中心がある。
好ましくは、投影開口１２４０の両端１２４２は、中心部１２４５に対して対称的に配置される。
投影開口１２４０は、光軸Ｏ１におけるその幅よりも広い幅の部分を少なくとも有するように成形されている。
言い換えれば、投影開口１２４０は、中心部１２４５におけるその幅が、中心部とは少なくとも異なる部分におけるその幅よりも小さくなるように成形されている。
好ましくは、投影開口１２４０は、取得手段２７により取得される網膜１０１の画像の明るさがより均一になるように変化法則に都合よく従い、第２光軸Ｏ１からの距離に伴いその幅が徐々に増加するように成形される。
絞り１１４と１２４の開口１１４０、１２４０の幅の変化法則は、異なる算出基準に基づいて互いに異なっていてもよい。
【００６０】
赤外光は、網膜のより表層において反射される又は拡散される白色光に比べより深くまで網膜１０１に入り込むことが知られている。
このことは、十分なコントラストで網膜の画像を得るために赤外光を使用する場合、より顕著な共焦点（言い換えれば、狭い範囲によく焦点の合った光の線による網膜のスキャニング）を必要とする。
このことは、より狭い開口１１４０の選択を有用にする。
代わりに、白色光で照射する場合、画像のコントラストの最適化は、開口１２４０の幅の主な選択基準ではない。この場合、可視光での網膜の反射性がとても低いことを考えると、開口１２４０を通じて網膜に投影される出力を最適化することがより好都合である。
このことは、赤外光に使用される開口１１４０に対してより広い開口１２４０の選択を有用にする。
【００６１】
網膜１０１を走査する光の線の幅の増加は、網膜に投影される光出力の増加を可能にする。
この光の線の幅の増加は、ある限界値まで得ることができ、これを超えると、網膜とその共役とは異なる表面に由来する不要反射が発生しうると理解されている。
従って、反射なしの条件で網膜１０１に投影することができる光の量を最適化することが可能である。
従って、赤外線照射器１１の絞り１１４の開口１１４０の幅の変化法則は、画像のコントラストと明るさの間のよい妥協点を得ることで最適化することができる。
一方、違いを付けた方法で、絞り１２４の開口１２４０の幅の変化法則は、反射なしに関連する画像のよい明るさを得ることで最適化することができる。
白色光での装置５００の共焦点は、網膜に投影される光の線のより広い幅のためより緩和されるとしても、従来の解決案に対して、画像のコントラストの顕著な増加という注目すべき利点を有する。
【００６２】
好ましくは、照射器１２は、光源１２１により放射される光の一部を遮断する第２投影マスク１２２を備える。
マスク１２２は、分離絞り１６１とスキャニング手段１７との間に含まれる装置の領域と光学的に共役するように配置され、従って、装置５００のオペレーションの間、眼１００の瞳孔１０２にも光学的に共役する。
好都合には、第２投影マスク１２２は、上記の照射器１１の第１投影マスク１１２と（必ずしも同一でないとしても）同じような構造を有する。
好ましくは、投影マスク１２２は、この光源が引き伸ばされている場合、例えば、ＬＥＤタイプ、において、光源１２１に近接して位置する。
【００６３】
投影マスク１２２は、少なくとも直線的な縁を備える。
この直線的な縁は、分離絞り１６１とスキャニング手段１７との間に含まれる領域における光線１の断面の境界線１Ｂと光学的に共役する。
好ましくは、照射器１２は、投影マスク１２２と投影絞り１２４との間に位置する第２平行光学系１２３も備える。
図５の実施形態において、装置５００は、図１−４に示した実施形態においてすでに記載したものと実質的に同一の共焦点絞り２３を備えることができる。
【００６４】
好ましい変形実施形態（図６）によれば、共焦点絞り２３は、図１−４に示した実施形態に関して記載したものと同様の形状を有する第１及び第２共焦点開口２３１、２５１を備える。
この実施形態によれば、共焦点絞り２３は、共焦点絞り２３の共焦点開口２３１、２５１が１つずつ光学経路２Ａに入ることができるように光学経路２Ａに対して移動できる。
第１作動手段２８は、共焦点絞り２３を動かすために使うことができる。
図６を参照して、共焦点開口２３１、２５１の主な特徴が、光学経路２Ａへのそれらの対応する挿入位置に関してこれから記載される。
共焦点開口２３１は、図１−４に示した実施形態における共焦点絞り２３に関してすでに記載した共焦点開口と実質的に同じ特徴を有する。
共焦点開口２５１は、好ましくは細長い形状と変化する幅を有する。好ましくは、それは対応する伸長主軸に沿って伸びる。
【００６５】
好ましくは、共焦点絞り２３は、開口２５１のこの伸長軸が光学経路２Ａの光軸Ｏ２に交差するように配置される。
共焦点開口２５１は、光軸Ｏ２に対して遠い位置に両端２５２を備え、光軸Ｏ２に対して近い位置に中心部２５５を備える。
好ましくは、共焦点開口２５１は光軸Ｏ２に中心がある。
好ましくは、両端２５２は、中心部２３５に対して対称的に配置される。
共焦点開口２５１は、光軸Ｏ２における前記共焦点開口の幅よりも広い幅の部分を少なくとも有するように成形されている。
言い換えれば、共焦点開口２５１は、中心部２５５におけるその幅が、中心部とは少なくとも異なる部分におけるその幅よりも小さくなるように成形されている。
【００６６】
好ましくは、共焦点開口２５１は、取得手段２７により取得される網膜１０１の画像の明るさをより均一にするような変化法則に都合よく従ってその幅が前記第２光軸Ｏ２からの距離に伴い徐々に増加するように形成されている。
また、絞り２３の開口２３１、２５１の幅の変化法則は、お互いに異なってよく、異なる算出基準に基づいてよい。どんな場合でも、それらは、絞り１１４、１２４の開口１１４０、１２４０の形状とサイズに関して算出される。
【００６７】
図５の実施形態において、装置５００についての好ましい操作方法の例は、都合よく次のステップを備える（必ずしも以下と同じ順序ではない）：
−光学経路２Ａに共焦点開口２３１を入れるステップ；
−照射器１１だけを作動させるステップ；
−網膜１０１の準備的な一連の赤外線画像を取得するステップ；
−装置５００のいくらかの調節を行うステップ；
−網膜１０１の１つ以上の赤外線画像を取得するステップ；
−照射器１１を停止させるステップ；及び／又は
−光学経路２Ａに共焦点開口２５１を入れるステップ；
−照射器１２だけを作動させるステップ；
−網膜１０１の１つ以上のカラー画像を取得するステップ。
【００６８】
図７は、装置５００についてのさらなる実施形態を示す。
この実施形態の装置５００の多くの構造態様は、図５に示した実施形態と実質的に同一である。
差別化の重要な態様は、この実施形態において照射器１２は異なるスペクトル帯の光を放射することができる複数の光源１２１、１２５を備えるという事実にある。
照射器１２は、複数の投影マスク１２２、１２２Ａを好ましく備え、それぞれのマスクは、対応する光源１２１、１２５に作動的に関連する。
投影マスク１２２、１２２Ａは、図１と図２の実施形態に関連して説明した投影マスク１１２と実質的に同じ方法で好ましく得られる。
従って、それらのそれぞれは、対応する光源１２１、１２５により放射される光の一部を遮断することができる直線的な縁を少なくとも備える。
【００６９】
照射器１２は複数の平行光学系１２３、１２３Ａを好ましく備え、平行光学系のそれぞれは対応する光源１２１、１２５に作動的に関連する。
照射器１２は、光学経路１Ａにおいて光源１２１、１２５により生成された光を方向付ける（そして任意的に一緒にする）ための１つ以上のダイクロイックミラー１２８を好ましく備える。
光源１２１、１２５が同時に作動している場合、照射器１２は白色光を好ましく投影する。
光源１２１、１２５が別々に作動している場合、照射器１２は比較的に小さいバンド幅を有する着色光を好ましく投影する。
好ましくは、光源１２１は、少なくとも５２０ｎｍと６１０ｎｍの間を含む波長の光を放射することに適合し、一方、光源１２５は、４４０ｎｍと４９０ｎｍの間を含むピーク波長で、４０ｎｍよりも狭いバンド幅を有する青色光を放射することに適合する。
【００７０】
好ましくは、光源１２１は、５００ｎｍ以下の波長の光を照射する一次エミッタと、前記一次エミッタにより放射された光の少なくとも一部をより高い波長を有する光に転換するように適合した蛍光体の混合体とを備える。
好ましくは、前記一次エミッタは、青色光を放射する第１ＬＥＤデバイスからなり、前記第１ＬＥＤデバイスは前記蛍光体の混合体により覆われた放射表面を有する。
蛍光体の混合体は、第１ＬＥＤデバイスの半導体結晶の表面上の直接的な層として堆積させることができる。
もう１つの方法として、第１エミッタはレーザーとすることができる。
好ましくは、光源１２５は、青色光を放射する第２ＬＥＤデバイスを備える。
好ましくは、照射器１２は、光源１２５に操作的に関連し定位置に位置した第１フィルター１２７を備える。
好ましくは、フィルター１２７は、平行光学系１２３Ａとダイクロイックミラー１２８との間に位置する。
【００７１】
好ましくは、装置５００は、光学経路２Ａに入れたり外したりするように可逆的に移動できる第２フィルター３１を備える。
第２作動手段３２をフィルター３１を動かすのに使うことができる。
第２フィルター３１を光学経路２Ａに入れ、青色光を放射する光源１２５を作動したとき、装置５００は蛍光画像又は自己蛍光画像を得ることを可能にする。
ダイクロイックミラー１２８を用いて一緒にすることができるいくつもの光源を有する照射器の形成は、重要な利点を有する。
単一の白色光源（図５）を備えた解決案に対して、光源１２１、１２５の同時作動の場合では照射器１２により投影された光出力を現実に増加させることができる。
一方、光源１２１、１２５の一部を作動させた場合、網膜を照射するためにより狭い波長範囲を選ぶことが可能である。
【００７２】
図７の実施形態において、装置５００についての好ましい操作方法の例は、都合よく次のステップを備える（必ずしも以下と同じ順序ではない）：
−光学経路２Ａに共焦点開口２３１を入れるステップ；
−照射器１１だけを作動させるステップ；
−網膜１０１の準備的な一連の赤外線画像を取得するステップ；
−装置５００のいくらかの調節を行うステップ；
−網膜１０１の１つ以上の赤外線画像を取得するステップ；
−照射器１１を停止させるステップ；
−光学経路２Ａに共焦点開口２５１を入れるステップ；及び／又は
−白色光のフラッシュを放射するために光源１２１、１２５を同時に作動させるステップ；
−網膜１０１の１つ以上のカラー画像を取得するステップ；
−光源１２１、１２５を停止させるステップ；及び／又は
−光学経路２Ａにフィルター３２を入れるステップ；
−青色光を放射する光源１２５を作動させるステップ；
−網膜１０１の１つ以上の蛍光画像又は自己蛍光画像を取得するステップ；
−光源１２１、１２５を停止させるステップ；
−光学経路２Ａからフィルター３２を引き抜くステップ；
−網膜１０１の１つ以上の無赤色画像を取得するステップ。
照射器１２がより多い数の光源（すなわち２より多い）を備える場合、これらの光源を順番に作動させ、狭い波長域の照射条件で網膜の画像を得ることが可能である。
【００７３】
本発明に係る装置１は、先行技術に対して重要な利点を有する。
中心部においてより狭い幅を有し中心部とは少なくとも異なる部分においてより広い幅を有する細長い形状の開口を有する投影絞りの使用は次のことを可能にする：
−画像の周縁におけるいくらかの明るさの不足を補填すること；
−画像の周縁における信号／ノイズ比を増加させること；
−照射器の絞りと共焦点絞りの位置合わせの重要性を減らすこと；
−広い視野、たとえ約６０°でも、で画像を得ること。
【００７４】
少なくとも直線的な縁を有する投影マスクの使用は次のことを可能にする：
−画像に不要反射を加えずに眼の瞳孔の段階における照射ビーム１の断面の形と大きさを定めること；
−光源により生成された光線の断面を減らし、網膜を照射するのに有効でなく不要反射を引き起こしうる光をその放射からすぐに除去すること。
【００７５】
複数の照射器の使用、特に白色光を放射する照射器と赤外光を放射する照射器の使用、と、いくつかの共焦点開口を有する可動共焦点絞りの使用は、次のことを可能にする：
−赤外光と可視光とで装置の操作を別々に最適化すること；
−画像のコントラスト及び明るさと反射に対するロバスト性とに関する性能を改善すること；
−眼の瞳孔を閉じさせない赤外光を使って機械の光学調整と網膜のインビボでの観察とを別々に行うこと。
【００７６】
ダイクロイックミラーを用いて一緒に合わすことができるいくつかの光源を有する白色光照射器の使用は、次のことを可能にする：
−白色照射器により放射された出力密度を増加させること；
−異なる波長域の光が照射された網膜の画像を生成すること。
複数の光源の１つの光にフィルターをかける第１フィルターを備えた白色光照射器の使用と、網膜により受光された光にフィルターをかける光学結像経路の第２フィルターの使用とは、蛍光画像と自己蛍光画像とを取得することを可能にする。
装置５００は、とてもコンパクトな構造を有しており、工業規模で生産することが容易であり、生産コストを抑えるという点で相当有利である。
【図１】
2017526474.tif 000003
【図２】
2017526474.tif 000004
【図３】
2017526474.tif 000005
【図４】
2017526474.tif 000006
【図５】
2017526474.tif 000007
【図６】
2017526474.tif 000008
【図７】
2017526474.tif 000009
【国際調査報告】
2017526474.tif 000010
2017526474.tif 000011
2017526474.tif 000012